(57)【特許請求の範囲】
【請求項１】
商用電源から給電され、かつ、天井材に設置される非常用照明器具であって、
板材により筒状に形成されたケースを具備する器具本体と、発光部を具備する光源ユニットと、蓄電池を具備する非常用電源と、前記蓄電池を充電および放電可能な電源装置と、前記器具本体を前記天井材に固定するための固定部材とを備え、
前記光源ユニットは、前記器具本体において前記ケースの中心軸に沿った下側の端部に配置され、
前記非常用電源および前記電源装置それぞれは、前記ケース内に収納され、
前記電源装置は、前記商用電源からの給電時に、前記蓄電池を充電するように構成され、前記電源装置は、前記商用電源の停電時に、前記蓄電池を放電し、かつ、前記非常用電源を電源として前記発光部を発光させるように構成され、
前記固定部材は、前記ケースの周壁に取り付けられるように構成され、
前記ケースの周壁は、前記固定部材が取り付けられる部位に、平坦部が設けられ、
前記電源装置は、複数の電子部品が実装された基板を備え、
前記基板は、平板状に形成され、
前記基板は、前記基板の厚み方向における一面の第１法線と、前記平坦部の厚み方向における一面の第２法線とが平行となるように配置されている
ことを特徴とする非常用照明器具。
【請求項２】
商用電源から給電され、かつ、天井材に設置される非常用照明器具であって、
板材により筒状に形成されたケースを具備する器具本体と、発光部を具備する光源ユニットと、蓄電池を具備する非常用電源と、前記蓄電池を充電および放電可能な電源装置と、前記器具本体を前記天井材に固定するための固定部材とを備え、
前記光源ユニットは、前記器具本体において前記ケースの中心軸に沿った下側の端部に配置され、
前記非常用電源および前記電源装置それぞれは、前記ケース内に収納され、
前記電源装置は、前記商用電源からの給電時に、前記蓄電池を充電するように構成され、前記電源装置は、前記商用電源の停電時に、前記蓄電池を放電し、かつ、前記非常用電源を電源として前記発光部を発光させるように構成され、
前記固定部材は、前記ケースの周壁に取り付けられるように構成され、
前記ケースの周壁は、前記固定部材が取り付けられる部位に、平坦部が設けられ、
前記電源装置は、複数の電子部品が実装された基板を備え、
前記基板は、平板状に形成され、
前記基板は、前記基板の厚み方向における一面の第１法線と、前記平坦部の厚み方向における一面の第２法線とが直交するように配置されている
ことを特徴とする非常用照明器具。
【請求項３】
前記電源装置は、前記基板を収納するボックスを、更に備え、
前記ボックスは、前記非常用電源を着脱可能に構成されている
ことを特徴とする請求項１又は２記載の非常用照明器具。
【請求項４】
前記ケースは、第１板材と、第２板材とを結合して筒状に形成され、
前記ケースの周壁は、前記第１板材と前記第２板材とが結合された部位に、前記平坦部が設けられている
ことを特徴とする請求項１ないし請求項３のいずれか１項に記載の非常用照明器具。
【請求項５】
前記ケースは、第１板材と、第２板材とを結合して筒状に形成され、
前記ケースの周壁は、前記第１板材と前記第２板材とが結合された部位以外の部位に、前記平坦部が設けられている
ことを特徴とする請求項１ないし請求項３のいずれか１項に記載の非常用照明器具。
【発明の詳細な説明】
【技術分野】
【０００１】
本発明は、非常用照明器具に関する。
【背景技術】
【０００２】
従来、天井に埋め込み設置される非常用照明器具が知られている（例えば、特許文献１）。
【０００３】
特許文献１に記載された非常用照明器具は、器具本体と、電球と、点灯回路ユニットと、電池ケースとを備えている。以下では、説明の便宜上、特許文献１に記載された非常用照明器具を、「従来例の非常用照明器具」と称する。
【０００４】
器具本体は、略円筒状に形成されている。電球は、反射体を一体に備えている。点灯回路ユニットは、ユニットケースに組み込まれている。ユニットケースは、電池ケースを保持するように構成されている。電池ケースには、複数の電池が収納されている。
【０００５】
器具本体には、電池ケースを保持したユニットケースが収納されている。器具本体の下面開口部には、電球と反射体とが配置されている。
【０００６】
従来例の非常用照明器具は、器具本体の周面に、係止具が設けられている。特許文献１には、器具本体を天井に埋め込み設置させた状態で、係止具を天井の内面に係合させることによって、器具本体が天井に固定される旨が記載されている。
【先行技術文献】
【特許文献】
【０００７】
【特許文献１】特開平４−１４７５０７号公報
【発明の概要】
【発明が解決しようとする課題】
【０００８】
しかしながら、従来例の非常用照明器具では、器具本体が略円筒状に形成され、かつ、係止具が器具本体の周面に設けられている。また、従来例の非常用照明器具では、器具本体に、電池ケースを保持したユニットケースが収納されている。よって、従来例の非常用照明器具では、器具本体の開口面積を小さくすることが難しい。すなわち、従来例の非常用照明器具では、小型化を図ることが難しい。
【０００９】
本発明の目的は、小型化を図ることが可能な非常用照明器具を提供することにある。
【課題を解決するための手段】
【００１０】
本発明の一形態に係る非常用照明器具は、商用電源から給電され、かつ、天井材に設置される非常用照明器具である。本発明の非常用照明器具は、板材により筒状に形成されたケースを具備する器具本体と、発光部を具備する光源ユニットと、蓄電池を具備する非常用電源とを備えている。また、本発明の非常用照明器具は、前記蓄電池を充電および放電可能な電源装置と、前記器具本体を前記天井材に固定するための固定部材とを備えている。前記光源ユニットは、前記器具本体において前記ケースの中心軸に沿った下側の端部に配置されている。前記非常用電源および前記電源装置それぞれは、前記ケース内に収納されている。前記電源装置は、前記商用電源からの給電時に、前記蓄電池を充電するように構成されている。また、前記電源装置は、前記商用電源の停電時に、前記蓄電池を放電し、かつ、前記非常用電源を電源として前記発光部を発光させるように構成されている。前記固定部材は、前記ケースの周壁に取り付けられるように構成されている。前記ケースの周壁は、前記固定部材が取り付けられる部位に、平坦部が設けられている。前記電源装置は、複数の電子部品が実装された基板を備え、前記基板は、平板状に形成され、前記基板は、前記基板の厚み方向における一面の第１法線と、前記平坦部の厚み方向における一面の第２法線とが平行となるように配置されている。
本発明の別の形態に係る非常用照明器具は、商用電源から給電され、かつ、天井材に設置される非常用照明器具である。本発明の非常用照明器具は、板材により筒状に形成されたケースを具備する器具本体と、発光部を具備する光源ユニットと、蓄電池を具備する非常用電源とを備えている。また、本発明の非常用照明器具は、前記蓄電池を充電および放電可能な電源装置と、前記器具本体を前記天井材に固定するための固定部材とを備えている。前記光源ユニットは、前記器具本体において前記ケースの中心軸に沿った下側の端部に配置されている。前記非常用電源および前記電源装置それぞれは、前記ケース内に収納されている。前記電源装置は、前記商用電源からの給電時に、前記蓄電池を充電するように構成されている。また、前記電源装置は、前記商用電源の停電時に、前記蓄電池を放電し、かつ、前記非常用電源を電源として前記発光部を発光させるように構成されている。前記固定部材は、前記ケースの周壁に取り付けられるように構成されている。前記ケースの周壁は、前記固定部材が取り付けられる部位に、平坦部が設けられている。前記電源装置は、複数の電子部品が実装された基板を備え、前記基板は、平板状に形成され、前記基板は、前記基板の厚み方向における一面の第１法線と、前記平坦部の厚み方向における一面の第２法線とが直交するように配置されている。
【発明の効果】
【００１１】
本発明の非常用照明器具においては、小型化を図ることが可能となる。
【図面の簡単な説明】
【００１２】
【図１】一実施形態の非常用照明器具の分解斜視図である。
【図２】一実施形態の非常用照明器具の施工状態を示す斜視図である。
【図３】一実施形態の非常用照明器具に関し、ケースの作製例を示す説明図である。
【図４】一実施形態の非常用照明器具に関し、非常用電源と電源装置との配置例を示す説明図である。
【図５】一実施形態の非常用照明器具に関し、ケースとで器具本体を構成するベースと、ベースに取り付けられるカバーとを示す斜視図である。
【図６】一実施形態の非常用照明器具に関し、非常用電源と電源装置との他の配置例を示す説明図である。
【図７】一実施形態の非常用照明器具に関し、ケースの他の作製例を示す説明図である。
【図８】一実施形態の非常用照明器具に関し、ケースの別の作製例を示す説明図である。
【図９】一実施形態の非常用照明器具に関し、ケースの他の形状を説明する説明図である。
【発明を実施するための形態】
【００１３】
以下では、一実施形態の非常用照明器具１０について、図１〜図５を参照しながら説明する。
【００１４】
非常用照明器具１０は、商用電源（図示せず）から給電されるように構成されている。また、非常用照明器具１０は、天井材９０（図２参照）に設置されるように構成されている。具体的に説明すると、非常用照明器具１０は、天井材９０に予め形成された孔９１に、埋め込み配置されるように構成されている。
【００１５】
非常用照明器具１０は、器具本体１と、光源ユニット３と、非常用電源５と、電源装置６と、端子台１２とを備えている。
【００１６】
器具本体１は、例えば、有底筒状に形成されている。器具本体１は、ケース１１と、ベース１３とを備えている。
【００１７】
ケース１１は、例えば、１枚の板材５７（図３参照）により筒状に形成されている。板材５７は、例えば、不燃材料により構成されている。不燃材料としては、例えば、アルミニウムが挙げられる。ケース１１は、例えば、板材５７にロール加工等を施すことによって形成されている。
【００１８】
ベース１３は、例えば、円柱状に形成されている。ベース１３は、例えば、不燃材料により形成されている。不燃材料としては、例えば、アルミニウムが挙げられる。
【００１９】
非常用照明器具１０では、ケース１１とベース１３とで器具本体１を構成している。ケース１１は、器具本体１の周壁に相当する。ベース１３は、器具本体１の底壁に相当する。
【００２０】
光源ユニット３は、発光部２と、基板１５と、放熱部材１６と、レンズ１７と、保持部材１８とを備えている。光源ユニット３は、器具本体１の下端部に配置されている。なお、器具本体１の下端部とは、器具本体１においてケース１１の中心軸Ａ１に沿った下側の端部を意味する。つまり、器具本体１の下端部は、器具本体１の底壁に相当する。
【００２１】
発光部２は、例えば、白色光を得るように構成されている。発光部２は、複数のＬＥＤ（図示せず）と、波長変換部１９と、封止部２０とを備えている。
【００２２】
複数のＬＥＤの各々は、例えば、青色ＬＥＤチップである。複数のＬＥＤの接続関係は、例えば、直列接続である。なお、複数のＬＥＤの接続関係は、直列接続に限らず、例えば、並列接続であってもよい。また、複数のＬＥＤの接続関係は、例えば、直列接続と並列接続とを組み合わせた接続であってもよい。ＬＥＤの数は、複数であるが、１つであってもよい。
【００２３】
波長変換部１９は、複数のＬＥＤすべてを覆うように構成されている。波長変換部１９は、例えば、蛍光体粒子と透光性材料との混合体により構成されている。蛍光体粒子は、例えば、黄色蛍光体粒子である。黄色蛍光体粒子は、ＬＥＤから放射された青色光により励起されてブロードな黄色光を放射する。透光性材料は、例えば、シリコーン樹脂である。なお、蛍光体粒子は、黄色蛍光体粒子に限らず、例えば、赤色蛍光体粒子と緑色蛍光体粒子とを組み合わせた蛍光体粒子であってもよい。また、透光性材料は、シリコーン樹脂に限らず、例えば、エポキシ樹脂であってもよい。
【００２４】
封止部２０は、波長変換部１９を覆うように構成されている。また、封止部２０は、透光性を有する封止材料により構成されている。封止材料は、例えば、シリコーン樹脂である。なお、封止材料は、シリコーン樹脂に限らず、例えば、エポキシ樹脂であってもよい。
【００２５】
発光部２は、青色ＬＥＤチップと黄色蛍光体粒子とで、白色光を得るように構成されているが、この構成に限らない。発光部２は、例えば、紫ＬＥＤチップと、赤色蛍光体粒子と緑色蛍光体粒子と青色蛍光体粒子とを組み合わせた蛍光体粒子とで、白色光を得るように構成されていてもよい。また、発光部２は、例えば、近紫外ＬＥＤチップと、赤色蛍光体粒子と緑色蛍光体粒子と青色蛍光体粒子とを組み合わせた蛍光体粒子とで、白色光を得るように構成されていてもよい。さらに、発光部２は、例えば、赤色ＬＥＤチップと緑色ＬＥＤチップと青色ＬＥＤチップとを組み合わせて、白色光を得るように構成されていてもよい。
【００２６】
基板１５は、例えば、プリント基板である。なお、基板１５は、プリント基板に限らず、例えば、セラミック基板であってもよい。
【００２７】
基板１５の第１面（図１では、下面）には、複数のＬＥＤが電気的に実装されている。すなわち、基板１５の第１面には、発光部２が配置されている。また、基板１５の第１面には、一対の端子部（図示せず）が設けられている。以下では、説明の便宜上、一対の端子部を、「一対の第１端子部」と称する。
【００２８】
一対の第１端子部の各々は、基板１５に予め形成された配線（図示せず）の一部により構成されている。また、一対の第１端子部の各々は、発光部２と電気的に接続されている。具体的に説明すると、一対の第１端子部は、直列接続された複数のＬＥＤと電気的に並列接続されている。
【００２９】
放熱部材１６は、発光部２と基板１５とで発生する熱を放熱するように構成されている。放熱部材１６は、例えば、放熱シートである。放熱シートは、電気絶縁性および熱伝導性それぞれを有する。放熱部材１６は、基板１５の第２面（図１では、上面）に配置されている。
【００３０】
レンズ１７は、発光部２から放射された白色光を配光制御するように構成されている。レンズ１７は、例えば、シリコーン樹脂により形成されている。レンズ１７は、発光部２を覆うように配置されている。なお、レンズ１７は、シリコーン樹脂に限らず、例えば、アクリル樹脂により形成されていてもよい。
【００３１】
保持部材１８は、基板１５と放熱部材１６とレンズ１７とを保持するように構成されている。また、保持部材１８は、ばね性を有するように構成されている。保持部材１８は、例えば、金属板により形成されている。金属板としては、例えば、アルミニウム板が挙げられる。
【００３２】
非常用電源５は、本体部２１と、複数の蓄電池４と、接続部２２とを備えている。非常用電源５は、ケース１１内に収納されている。以下では、説明の便宜上、接続部２２を、「第１接続部２２」と称する。
【００３３】
本体部２１は、複数の蓄電池４を収納するように構成されている。本体部２１は、例えば、中空円柱状に形成されている。本体部２１は、例えば、合成樹脂により形成されている。なお、本体部２１の形状は、中空円柱状に限らず、例えば、中空角柱状であってもよい。
【００３４】
複数の蓄電池４は、本体部２１内に収納されている。複数の蓄電池４は、例えば、本体部２１の中心軸に沿った方向に並べて配置されている。複数の蓄電池４の電気的な接続関係は、例えば、直列接続である。なお、複数の蓄電池４は、本体部２１の中心軸に沿った方向に並べて配置されているが、この配置を特に限定するものではない。
【００３５】
第１接続部２２は、直列接続された複数の蓄電池４と電源装置６とを電気的に接続するように構成されている。第１接続部２２は、本体部２１の上端部に設けられている。なお、以下では、説明の便宜上、直列接続された複数の蓄電池４を、単に「複数の蓄電池４」と称する。
【００３６】
電源装置６は、複数の蓄電池４を充電および放電可能に構成されている。電源装置６は、複数の電子部品が電気的に実装された基板２３と、第２接続部（図示せず）とを備えている。電源装置６は、ケース１１内に収納されている。
【００３７】
基板２３は、例えば、プリント基板である。基板２３は、例えば、平板状に形成されている。具体的に説明すると、基板２３は、例えば、矩形板状に形成されている。
【００３８】
上記複数の電子部品のうち高さが比較的高い電子部品（以下、「第１電子部品」）は、基板２３の第１面（図１では、右上面）に配置されている。上記複数の電子部品のうち高さが比較的低い電子部品（以下、「第２電子部品」）は、基板２３の第２面（図１では、左下面）に配置されている。第１電子部品としては、例えば、トランス、電解コンデンサなどが挙げられる。第２電子部品としては、例えば、抵抗、ダイオードなどが挙げられる。
【００３９】
基板２３には、充電回路と、放電回路とが設けられている。
【００４０】
充電回路は、複数の蓄電池４を充電するように構成されている。具体的に説明すると、充電回路は、商用電源からの交流電圧を所定の直流電圧に変換するように構成されている。また、充電回路は、上記所定の直流電圧を、複数の蓄電池４に供給するように構成されている。これにより、充電回路は、複数の蓄電池４を充電することが可能となる。
【００４１】
放電回路は、複数の蓄電池４を放電するように構成されている。具体的に説明すると、放電回路は、複数の蓄電池４に予め充電された直流電圧を、光源ユニット３に供給するように構成されている。これにより、放電回路は、発光部２を発光させることが可能となる。
【００４２】
基板２３の第１面には、一対の第２端子部（図示せず）が設けられている。一対の第２端子部の各々は、基板２３に予め形成された配線（図示せず）の一部により構成されている。また、一対の第２端子部の各々は、放電回路と電気的に接続されている。一対の第２端子部は、例えば、一対の第１電源線（図示せず）を介して、上記一対の第１端子部と電気的にそれぞれ接続されている。なお、一対の第２端子部は、基板２３の第１面に設けられているが、基板２３の第２面に設けられていてもよい。
【００４３】
また、基板２３の第１面には、一対の第３端子部（図示せず）が設けられている。一対の第３端子部の各々は、基板２３の上記配線の一部により構成されている。また、一対の第３端子部は、例えば、一対の第２電源線（図示せず）を介して、端子台１２と電気的に接続されている。なお、一対の第３端子部は、基板２３の第１面に設けられているが、基板２３の第２面に設けられていてもよい。
【００４４】
基板２３には、第１点検スイッチ３５と、第２点検スイッチ３６と、表示部３７とが設けられている。具体的に説明すると、基板２３の第１面には、第１点検スイッチ３５と、第２点検スイッチ３６と、表示部３７とが電気的に実装されている。
【００４５】
第１点検スイッチ３５は、例えば、発光部２が発光するか否かを点検するためのスイッチである。第２点検スイッチ３６は、例えば、複数の蓄電池４の充電状態を点検するためのスイッチである。表示部３７は、複数の蓄電池４の充電状態を表示するように構成されている。表示部３７は、例えば、ＬＥＤである。
【００４６】
また、基板２３には、第１点検回路と、第２点検回路と、点灯回路とが設けられている。第１点検回路は、例えば、発光部２が発光するか否かを点検するように構成されている。第２点検回路は、例えば、複数の蓄電池４の充電状態を点検するように構成されている。点灯回路は、例えば、第２点検回路の点検結果に基づいて、表示部３７を点灯させるように構成されている。具体的に説明すると、点灯回路は、例えば、複数の蓄電池４に充電された直流電圧が規定電圧以上のとき、表示部３７を点灯状態にする。また、点灯回路は、例えば、複数の蓄電池４に充電された直流電圧が規定電圧未満のとき、表示部３７を消灯状態にする。
【００４７】
第２接続部は、非常用電源５と基板２３とを電気的に接続するように構成されている。また、第２接続部は、第１接続部２２と電気的および機械的に接続するように構成されている。第２接続部は、第１接続部２２を着脱可能に構成されている。
【００４８】
第２接続部は、基板２３に設けられている。具体的に説明すると、第２接続部は、例えば、基板２３の第２面に配置されている。第２接続部は、充電回路および放電回路の両方と電気的に接続されている。
【００４９】
電源装置６は、商用電源からの給電時に、複数の蓄電池４を充電するように構成されている。電源装置６は、商用電源の停電時に、複数の蓄電池４を放電するように構成されている。また、電源装置６は、商用電源の停電時に、非常用電源５を電源として発光部２を発光させるように構成されている。これにより、非常用照明器具１０は、例えば、商用電源の停電時などの非常時に、発光部２を発光させることが可能となる。
【００５０】
端子台１２は、器具本体１の上端部に配置されている。端子台１２は、上記一対の第２電源線を電気的および機械的に接続するように構成されている。また、端子台１２は、一対の第３電源線（図示せず）を電気的および機械的に接続するように構成されている。一対の第３電源線は、商用電源と電気的に接続されている。また、一対の第３電源線は、例えば、天井材９０の上面に予め配線されている。なお、器具本体１の上端部とは、器具本体１においてケース１１の中心軸Ａ１に沿った上側の端部を意味する。
【００５１】
ところで、電源装置６は、基板２３を収納するボックス５０（図４参照）を、更に備えている。ボックス５０は、例えば、合成樹脂により形成されている。ボックス５０は、非常用電源５を着脱可能に構成されていることが好ましい。これにより、非常用照明器具１０では、非常用電源５および電源装置６の両方を器具本体１内に、同時に収納させることが可能となる。よって、非常用照明器具１０では、非常用電源５と電源装置６とを器具本体１内に収納する作業性を向上させることが可能となる。なお、図１では、ボックス５０の図示を省略している。
【００５２】
ベース１３の下端部には、凹部２４が形成されている。凹部２４は、光源ユニット３を配置するように構成されている。凹部２４の上壁４９には、第１孔２５（図５参照）が形成されている。第１孔２５は、例えば、上記一対の第１電源線それぞれを通すように形成されている。
【００５３】
ベース１３には、第２孔２６が形成されている。第２孔２６は、非常用電源５をベース１３の下端部からベース１３の上端部へ通すように形成されている。すなわち、第２孔２６は、非常用電源５をベース１３から器具本体１内に収納するように形成されている。
【００５４】
また、ベース１３には、第３孔３８と、第４孔３９と、第５孔４０とが形成されている。第３孔３８は、第１点検スイッチ３５を操作するための第１操作部４１を、配置するように形成されている。第４孔３９は、第２点検スイッチ３６を操作するための第２操作部４２を、配置するように形成されている。第５孔４０は、表示部３７から放射された光を導光する導光部材４３を、配置するように形成されている。
【００５５】
ベース１３の外周壁における下側の部位には、側方へ向かって突出する鍔部２７が全周に亘って設けられている。鍔部２７の外周形状は、例えば、円形状である。なお、鍔部２７の外周形状は、円形状であるが、この形状を特に限定するものではない。
【００５６】
また、ベース１３は、ケース１１に着脱可能に構成されている。具体的に説明すると、ベース１３の上端部には、上側へ向かって突出する引掛部２８が複数箇所（例えば、２箇所）に設けられている。以下では、説明の便宜上、引掛部２８を、「第１引掛部２８」と称する。
【００５７】
２つの第１引掛部２８，２８は、ベース１３の中心軸を基準として線対称となるように、ベース１３の上端部に配置されている。２つの第１引掛部２８，２８の各々には、自身をケース１１に引掛けるための引掛爪２９が設けられている。以下では、説明の便宜上、引掛爪２９を、「第１引掛爪２９」と称する。なお、図２では、２つの第１引掛爪２９，２９のうち１つの第１引掛爪２９が見えている。
【００５８】
ケース１１の周壁８における下側の部位には、２つの第６孔３０，３０（図２参照）が形成されている。なお、図１では、２つの第６孔３０，３０の図示を省略している。また、図２では、２つの第６孔３０，３０のうち１つの第６孔３０が見えている。
【００５９】
２つの第６孔３０，３０は、２つの第１引掛爪２９，２９をそれぞれ引掛けるように形成されている。これにより、非常用照明器具１０では、ベース１３をケース１１に取り付けることが可能となる。
【００６０】
また、非常用照明器具１０は、カバー１４と、複数（例えば、２つ）の固定部材７，７とを備えている。
【００６１】
カバー１４は、ベース１３の下端部を覆うように構成されている。カバー１４は、本体部３１と、複数（例えば、２つ）の第２引掛部３２，３２とを備えている。カバー１４は、例えば、合成樹脂により形成されている。なお、図１では、２つの第２引掛部３２，３２のうち１つの第２引掛部３２が見えている。
【００６２】
本体部３１は、例えば、円板状に形成されている。なお、本体部３１の外周形状は、円形状であるが、この形状を特に限定するものではない。
【００６３】
本体部３１には、第７孔３３が形成されている。第７孔３３は、光源ユニット３のレンズ１７の光出射面３４を露出させるように形成されている。
【００６４】
また、本体部３１には、第８孔４４と、第９孔４５とが形成されている。第８孔４４は、第１操作部４１の操作面と、第２操作部４２の操作面とが露出するように形成されている。第９孔４５は、導光部材４３の光出射面が露出するように形成されている。
【００６５】
２つの第２引掛部３２，３２の各々は、本体部３１の第１面（図５では、右上面）から上側（図５では、右上側）へ向かって突出するように、構成されている。２つの第２引掛部３２，３２の各々は、本体部３１と一体に構成されている。
【００６６】
２つの第２引掛部３２，３２の各々には、自身をベース１３に引掛けるための第２引掛爪４６が設けられている。
【００６７】
ベース１３の第２孔２６の内周壁４７には、２つの突出部４８，４８（図５参照）が形成されている。なお、図５では、２つの突出部４８，４８のうち１つの突出部４８が見えている。また、図１では、２つの突出部４８，４８の図示を省略している。
【００６８】
２つの突出部４８，４８は、２つの第２引掛爪４６，４６をそれぞれ引掛けるように形成されている。これにより、非常用照明器具１０では、カバー１４をベース１３に取り付けることが可能となる。
【００６９】
２つの固定部材７，７の各々は、ケース１１の周壁８に取り付けられるように構成されている。また、２つの固定部材７，７の各々は、器具本体１を天井材９０に固定するように構成されている。具体的に説明すると、２つの固定部材７，７の各々は、ベース１３の鍔部２７とで天井材９０を挟持するように構成されている。
【００７０】
また、２つの固定部材７，７の各々は、ばね性を有するように構成されている。２つの固定部材７，７の各々は、例えば、板材により形成されている。上記板材は、例えば、不燃材料により構成されている。不燃材料としては、例えば、アルミニウムが挙げられる。
【００７１】
ところで、ケース１１の周壁８は、固定部材７が取り付けられる部位に、平坦部９（図１、図２および図４参照）が設けられている。すなわち、ケース１１の周壁８には、２つの平坦部９，９が設けられている。なお、図１では、２つの平坦部９，９のうち１つの平坦部９が見えている。また、図２でも、２つの平坦部９，９のうち１つの平坦部９が見えている。
【００７２】
２つの平坦部９，９は、ケース１１の中心軸Ａ１を基準として線対称となるように、ケース１１の周壁８に設けられている。
【００７３】
非常用照明器具１０では、２つの固定部材７，７と２つの平坦部９，９とを、例えば、溶接により固着することで、２つの固定部材７，７が、２つの平坦部９，９にそれぞれ取り付けられている。
【００７４】
非常用照明器具１０は、板材５７により筒状に形成されたケース１１を具備する器具本体１を備えている。また、非常用照明器具１０は、ケース１１の周壁８において固定部材７が取り付けられる部位に、平坦部９が設けられている。これにより、非常用照明器具１０では、従来例の非常用照明器具に比べて、器具本体１の開口面積を小さくすることが可能となる。よって、非常用照明器具１０では、従来例の非常用照明器具に比べて、小型化を図ることが可能となる。
【００７５】
基板２３は、図１および図４に示すように、基板２３の厚み方向における一面の第１法線と、平坦部９の厚み方向における一面の第２法線とが平行となるように配置されている。要するに、基板２３は、基板２３の厚み方向と平坦部９の厚み方向とが平行となるように配置されている。これにより、非常用照明器具１０では、基板２３を、基板２３の第１法線と平坦部９の第２法線とが直交するように配置した場合に比べて、基板２３の面積を大きくすることが可能となる。よって、非常用照明器具１０では、基板２３を、基板２３の第１法線と平坦部９の第２法線とが直交するように配置した場合に比べて、基板２３に予め形成されたグランド（図示せず）を多く確保することが可能となる。その結果、非常用照明器具１０では、基板２３を、基板２３の第１法線と平坦部９の第２法線とが直交するように配置した場合に比べて、例えば、電源装置６で発生するノイズを、より抑制することが可能となる。なお、基板２３は、基板２３の第１法線と平坦部９の第２法線とが、完全に平行となるように配置されているのがより好ましいが、基板２３の第１法線と平坦部９の第２法線とが略平行となるように配置されていてもよい。略平行とは、例えば、基板２３の第１法線が、平坦部９の第２法線に対して、１度〜５度の範囲内の角度で傾いていることを意味する。
【００７６】
基板２３は、基板２３の第１法線と平坦部９の第２法線とが平行となるように配置されているが、この配置に限らない。基板２３は、例えば、図６に示すように、基板２３の第１法線と平坦部９の第２法線とが直交するように配置されていてもよい。要するに、基板２３は、基板２３の厚み方向と平坦部９の厚み方向とが直交するように配置されていてもよい。この場合、非常用照明器具１０では、基板２３を、基板２３の第１法線と平坦部９の第２法線とが平行となるように配置した場合に比べて、基板２３の第１面に実装される第１電子部品として、高さがより高い電子部品を採用することが可能となる。なお、基板２３は、基板２３の第１法線と平坦部９の第２法線とが、完全に直交するように配置されているのがより好ましいが、基板２３の第１法線と平坦部９の第２法線とが略直交するように配置されていてもよい。略直交とは、例えば、基板２３の第１法線と平坦部９の第２法線とのなす角度が、８５度〜８９度の範囲内の角度で交差することを意味する。
【００７７】
ケース１１は、１枚の板材５７により筒状に形成されているが、これに限らない。ケース１１は、例えば、図７に示すように、第１板材５１と、第２板材５２とを結合して筒状に形成されていてもよい。一例を挙げて説明すると、ケース１１は、板材５７を分割した板材である第１板材５１と、板材５７を分割した残りの板材である第２板材５２とを結合して筒状に形成されていてもよい。この場合、非常用照明器具１０では、ケース１１を１枚の板材５７により筒状に形成した場合に比べて、ケース１１を作製する作業性を向上させることが可能となる。また、非常用照明器具１０では、ケース１１を１枚の板材５７により筒状に形成した場合に比べて、板材５７に起因するケース１１の復元力を抑制することが可能となる。
【００７８】
第１板材５１および第２板材５２の各々は、第１板材５１と第２板材５２とで筒状のケース１１を形成するように構成されている。第１板材５１および第２板材５２の各々は、例えば、プレス加工により形成されている。第１板材５１は、一対の第１結合部５３，５３を備えている。第２板材５２は、一対の第２結合部５４，５４を備えている。
【００７９】
一対の第１結合部５３，５３の各々には、第３引掛部５５が設けられている。一対の第２結合部５４，５４の各々には、第１０孔５６が形成されている。２つの第１０孔５６，５６は、２つの第３引掛部５５，５５をそれぞれ引掛けるように形成されている。これにより、非常用照明器具１０では、一対の第１結合部５３，５３と一対の第２結合部５４，５４とをそれぞれ結合させることが可能となる。よって、非常用照明器具１０では、第１板材５１と第２板材５２とを結合させることが可能となる。なお、非常用照明器具１０では、第１結合部５３と第２結合部５４とで、第１板材５１と第２板材５２とが結合された部位を構成している。また、図７では、２つの第３引掛部５５，５５のうち１つ第３引掛部５５が見えている。
【００８０】
そして、ケース１１の周壁８は、第１板材５１と第２板材５２とが結合された部位に、平坦部９が設けられていることが好ましい。言い換えれば、ケース１１の周壁８は、一対の第１結合部５３，５３と一対の第２結合部５４，５４とがそれぞれ結合された部位に、平坦部９が設けられていることが好ましい。これにより、非常用照明器具１０では、平坦部９を作製する作業性を向上させることが可能となる。
【００８１】
また、ケース１１の周壁８は、例えば、図８に示すように、第１板材５１と第２板材５２とが結合される部位以外の部位に、平坦部９が設けられていてもよい。言い換えれば、ケース１１の周壁８は、一対の第１結合部５３，５３と一対の第２結合部５４，５４とがそれぞれ結合された部位以外の部位に、平坦部９が設けられていてもよい。なお、図８では、２つの第３引掛部５５，５５のうち１つの第３引掛部５５が見えている。
【００８２】
ケース１１の周壁８における平坦部９以外の部位は、平面視において円弧状に形成されているが、この形状に限らない。ケース１１の周壁８における平坦部９以外の部位は、例えば、図９に示すように、平面視において多角形状に形成されていてもよい。この場合、非常用照明器具１０では、ケース１１の周壁８における平坦部９以外の部位を、平面視において円弧状に形成した場合に比べて、器具本体１の開口面積をより一層小さくすることが可能となる。よって、非常用照明器具１０では、ケース１１の周壁８における平坦部９以外の部位を、平面視において円弧状に形成した場合に比べて、より一層の小型化を図ることが可能となる。また、非常用照明器具１０では、ケース１１の周壁８における平坦部９以外の部位を、平面視において円弧状に形成した場合に比べて、板材５７に起因するケース１１の復元力を抑制することが可能となる。
【００８３】
なお、非常用照明器具１０は、非常時に発光部２を発光させる、いわゆる、専用形の非常用照明器具であるが、これに限らない。非常用照明器具１０は、例えば、通常時および非常時に発光部２を発光させる、いわゆる、併用形の非常用照明器具であってもよい。なお、通常時とは、非常時以外のときを意味する。
【００８４】
また、複数の蓄電池４の電気的な接続関係は、直列接続であるが、この接続に限らない。複数の蓄電池４の電気的な接続関係は、例えば、並列接続であってもよい。また、複数の蓄電池４の電気的な接続関係は、例えば、直列接続と並列接続とを組み合わせた接続であってもよい。蓄電池４の数は、複数であるが、１つであってもよい。
【００８５】
以上説明した非常用照明器具１０は、商用電源から給電され、かつ、天井材９０に設置される非常用照明器具である。非常用照明器具１０は、板材５７により筒状に形成されたケース１１を具備する器具本体１と、発光部２を具備する光源ユニット３と、蓄電池４を具備する非常用電源５とを備えている。また、非常用照明器具１０は、蓄電池４を充電および放電可能な電源装置６と、器具本体１を天井材９０に固定するための固定部材７とを備えている。光源ユニット３は、器具本体１においてケース１１の中心軸Ａ１に沿った下側の端部に配置されている。非常用電源５および電源装置６それぞれは、ケース１１内に収納されている。電源装置６は、前記商用電源からの給電時に、蓄電池４を充電するように構成されている。また、電源装置６は、前記商用電源の停電時に、蓄電池４を放電しかつ非常用電源５を電源として発光部２を発光させるように構成されている。固定部材７は、ケース１１の周壁８に取り付けられるように構成されている。ケース１１の周壁８は、固定部材７が取り付けられる部位に、平坦部９が設けられている。これにより、非常用照明器具１０では、従来例の非常用照明器具に比べて、器具本体１の開口面積を小さくすることが可能となる。よって、非常用照明器具１０では、従来例の非常用照明器具に比べて、小型化を図ることが可能となる。
【００８６】
電源装置６は、複数の電子部品が実装された基板２３を備えている。基板２３は、平板状に形成されている。基板２３は、基板２３の厚み方向における一面の第１法線と、平坦部９の厚み方向における一面の第２法線とが平行となるように配置されている。これにより、非常用照明器具１０では、基板２３を、基板２３の第１法線と平坦部９の第２法線とが直交するように配置した場合に比べて、基板２３の面積を大きくすることが可能となる。よって、非常用照明器具１０では、基板２３を、基板２３の第１法線と平坦部９の第２法線とが直交するように配置した場合に比べて、基板２３に予め形成されたグランドの占有面積を大きくすることが可能となる。その結果、非常用照明器具１０では、基板２３を、基板２３の第１法線と平坦部９の第２法線とが直交するように配置した場合に比べて、例えば、電源装置６で発生するノイズを、より抑制することが可能となる。
【００８７】
また、基板２３は、基板２３の厚み方向における一面の第１法線と、平坦部９の厚み方向における一面の第２法線とが直交するように配置されていてもよい。この場合、非常用照明器具１０では、基板２３を、基板２３の第１法線と平坦部９の第２法線とが平行となるように配置した場合に比べて、基板２３の第１面に実装される第１電子部品として、高さがより高い電子部品を採用することが可能となる。
【００８８】
電源装置６は、基板２３を収納するボックス５０を、更に備えている。ボックス５０は、非常用電源５を着脱可能に構成されていることが好ましい。これにより、非常用照明器具１０では、非常用電源５および電源装置６の両方を器具本体１内に、同時に収納させることが可能となる。よって、非常用照明器具１０では、非常用電源５と電源装置６とを器具本体１内に収納する作業性を向上させることが可能となる。
【００８９】
ケース１１は、第１板材５１と、第２板材５２とを結合して筒状に形成されていることが好ましい。ケース１１の周壁８は、第１板材５１と第２板材５２とが結合された部位に、平坦部９が設けられていることが好ましい。これにより、非常用照明器具１０では、ケース１１を１枚の板材５７により筒状に形成した場合に比べて、ケース１１を作製する作業性を向上させることが可能となる。また、非常用照明器具１０では、ケース１１を１枚の板材５７により筒状に形成した場合に比べて、板材５７に起因するケース１１の復元力を抑制することが可能となる。さらに、非常用照明器具１０では、平坦部９を作製する作業性を向上させることが可能となる。
【００９０】
また、ケース１１の周壁８は、第１板材５１と第２板材５２とが結合された部位以外の部位に、平坦部９が設けられていてもよい。この場合も、非常用照明器具１０では、ケース１１を１枚の板材５７により筒状に形成した場合に比べて、ケース１１を作製する作業性を向上させることが可能となる。また、非常用照明器具１０では、ケース１１を１枚の板材５７により筒状に形成した場合に比べて、板材５７に起因するケース１１の復元力を抑制することが可能となる。さらに、非常用照明器具１０では、平坦部９を作製する作業性を向上させることが可能となる。
【符号の説明】
【００９１】
１  器具本体
２  発光部
３  光源ユニット
４  蓄電池
５  非常用電源
６  電源装置
７  固定部材
８  周壁
９  平坦部
１０  非常用照明器具
１１  ケース
２３  基板
５０  ボックス
５１  第１板材
５２  第２板材
５７  板材
【図１】
0006340721.tif 000002
【図２】
0006340721.tif 000003
【図３】
0006340721.tif 000004
【図４】
0006340721.tif 000005
【図５】
0006340721.tif 000006
【図６】
0006340721.tif 000007
【図７】
0006340721.tif 000008
【図８】
0006340721.tif 000009
【図９】
0006340721.tif 000010